(57)【要約】【課題】浴槽面に固定して使用する浴槽用枕に係り、発泡体からなるクッション部に水がしみこんでクッション性を損なったり、カビが発生したりするのを防止した浴槽用枕を提供する。【解決手段】樹脂の発泡体からなるクッション部２と、該クッション部２を被覆するカバー材３とからなる浴槽面に装着して使用する浴槽用枕１であって、カバー材３とクッション部２とが熱融着や接着剤などの手段にて略全面を面着固定しており、更にカバー材３の端部同士を重ね合わせて一体化してなる。【選択図】図２
0003143021.tif 000002
【実用新案登録請求の範囲】
【請求項１】
樹脂の発泡体からなるクッション部と、該クッション部を被覆するカバー材とからなる浴槽面に装着して使用する浴槽用枕において、カバー材とクッション部とが面着固定されており、更にカバー材の端部同士を重ね合わせて溶融一体化してなることを特徴とする浴槽用枕。
【考案の詳細な説明】
【技術分野】
【０００１】
本考案は、浴槽面に固定して使用する浴槽用枕に係り、発泡体からなるクッション部に水がしみこんでクッション性を損なったり、カビが発生したりするのを防止した浴槽用枕に関する。
【背景技術】
【０００２】
入浴中、浴槽の周縁部に首筋や頭部を持たれかけさせてリラックスする際に用いる浴槽用枕として、浴槽に固着することができる浴槽用枕がある。浴槽用枕としては、例えばウレタンなどの樹脂の発泡体かららなる弾性体をそのまま使用するものや、前記のような弾性体をクッション部とし、そのクッション部を樹脂からなるシートでカバーするといった構成のものが用いられている。
【０００３】
【特許文献１】特開２００３−２９００６０号公報
【特許文献２】特開２００４−２０２１２３号公報
【考案の開示】
【考案が解決しようとする課題】
【０００４】
しかし、まず浴室にて使用するものであることから常に水やお湯に接触した状態で用いられることから、発泡体等からなるクッション部に水がしみこんで含水するという問題がある。クッション部が含水してしまうと良好なクッション性が得られなくなるとともに、カビが発生してしまうといった問題につながる。
【０００５】
また、含水しないように独立気泡の発泡体でクッション部を構成するといったものや、防カビ剤を樹脂に配合してカビの発生を抑えるといった提案もなされているが、必ずしも十分な対策であるとはいえず、またコストの問題もある。
【０００６】
そこで本考案では、クッション部への水のしみこみを防いで、良好なクッション性が損なわれたり、クッション部にカビが発生したりするといった問題を解消した浴槽用枕の提供を目的とする。
【課題を解決するための手段】
【０００７】
上記のような目的を達成するために本考案では、樹脂の発泡体からなるクッション部と、該クッション部を被覆するエチレン酢酸ビニル共重合体樹脂からなるカバー材とで構成される浴槽面に装着して使用する浴槽用枕において、カバー材とクッション部とが面着固定されており、更に、カバー材の端部同士を重ね合わせて溶融一体化してなることを特徴とする。
【考案の効果】
【０００８】
本考案のようにカバー材をクッション部とを全面的に接着して固定していることで、使用者が枕の上で移動したり動いたりしてもカバー材にシワが発生するといった問題がなく、また水がしみこんだとしてもカバー材内で水が移動して拡散するのを防止することができる。また、カバー材の端部を溶融一体化しているので、隙間や界面ができないので水が浸入することがほとんどない。
【考案を実施するための最良の形態】
【０００９】
以下、本考案の浴槽用枕に関して詳細に説明する。
【００１０】
図１は本考案の浴槽用枕の平面図であり、図２は図１におけるＡ−Ａ断面図である。浴槽用枕１は、例えば図１に示すような円弧状の形状を呈するものであるが、形状に関しては取り付ける浴槽の手すり等の形状によって決定されるものである。図２の断面図を見るとクッション材２をカバー材３で被覆した構造を有しており、クッション材２はクッション性を付与し、カバー材３は内部に水が入り込まないようにする役目を果たしたり、良好な肌触りもたせる役目を果たすものである。クッション材２は、低反発ウレタンフォームやウレタンゲル等の素材からなり、エチレン酢酸ビニル共重合体樹脂からなるカバー材によって全面を被覆されている。
【００１１】
この構成において、カバー材３の内部に水が浸透してしまうとクッション性が低下して使用感を低下させてしまうという問題があることと、カバー材３内部のクッション材２にカビが発生して清潔感を損なってしまうという問題がある。
【００１２】
また、使用している際にカバー材３にシワが発生したり、ずれが生じたりすると使用者が頭部に違和感を感じたり、カバー材３の劣化の原因になって早期に破断が発生したりする問題ともなる。
【００１３】
そこで、本考案の浴槽用枕においては、カバー材３とクッション材２との間を接着剤による接着や融着等の手段で固定してしまい、カバー材３とクッション材２との間でズレが発生することがなく、しかも、カバー材３にシワが発生しにくくすることができる。
【００１４】
カバー材３とクッション材２が全面接着固定されていると、使用者が枕の上で頭部を左右上下に移動させるようなことがあってもカバー材３だけでクッション材２に対して動くことがなく、カバー材３とクッション材２との間に空間ができることもないので、シワの発生をほとんどといっていいくらいなくすことができる。
【００１５】
また、本考案の浴槽用枕１においては、クッション材２の全面を被覆したカバー材３の端部同士を重ね合わせて溶融一体化しているので、クッション材２はカバー材３によって完全に密封状態にされ、カバー材３内部に水が浸入してくることもなくなる。水の浸入を防ぐことでクッション性の低下やカビの発生を防止することができるものである。
【００１６】
カバー材３としては、肌触りがよくやわらかい素材であることが好ましく、ポリウレタン系、ポリスチレン系、ポリオレフィン系の熱可塑性エラストマー等の軟質のエラストマーシートを用いることができ、具体的にはエチレン酢酸ビニル共重合体樹脂等を挙げることができる。
【００１７】
図３は、下型５にカバー材３を沿わせたところの断面図であり、図４はカバー材３を融着しているところの断面図である。本考案の浴槽用枕の製造方法は、例えば次に示すような方法によって製造することができる。
【００１８】
浴槽用枕１の所定形状を有する下型５にカバー材３を形成するための軟質エラストマーシートを配置して、加熱して真空引きする等の手段で下型５の形状に沿わせて密着させたあと、吹き付け型のコロナ処理機６でカバー材３をコロナ処理する。コロナ処理を施した軟質エラストマーシートの上から低反発ウレタンフォームからなるクッション材２を形成するための発泡ウレタン原料を注入し、上型（図示しない）を装着し、金型内で発泡させてクッション材２を成形し、その後冷却して金型から取り出すことによって、カバー材３とクッション材２とが接触している全面で接着した状態のものを得ることができる。
【００１９】
続いて、新たな軟質エラストマーシートを型に配置して、やはり加熱して真空引きする等の手段で上型の形状に沿わせた状態で密着させ、加熱して型付けを行う。型付けしたシートを型から取り出して、このシートの表面をコロナ処理し、更に先ほどのカバー材３内でクッション材２を発泡成形するとともに接着させたもののクッション材２に接着剤４を塗布した状態で、前記型付けしたシートを貼り合わせる。コロナ処理をすることで他素材との熱融着、接着剤による接着が困難であるエチレン酢酸ビニル共重合体樹脂といった材料でも良好に融着・接着等を行うことができる。これでほぼ枕の形状を完成させた後に、２枚の軟質エラストマーシートからなるカバー材３の端部３ａ同士を重ね合わせて、高周波加熱用電極７を用いて加熱する等の手段にて加熱・加圧して接合するが、接合面は全面が完全に溶融一体化しており、クッション材２はカバー材によって完全に密封された浴槽用枕を得ることができる。
【産業上の利用可能性】
【００２０】
本考案は、浴槽に取り付けて用いる浴槽用の枕として水と接触する使い方をしてもクッション性を保つことができ、内部にカビ等が発生するのを防止することができる。
【図面の簡単な説明】
【００２１】
【図１】本考案浴槽用枕の平面図である。
【図２】図１におけるＡ−Ａ断面図である。
【図３】金型にカバー材となる素材を沿わせているところの断面図である。
【図４】カバー材を高周波加熱で融着しているところの断面図である。
【符号の説明】
【００２２】
１    浴槽用枕
２    クッション材
３    カバー材
３ａ  端部
４    接着剤
５    上型
６    コロナ処理機
７    高周波加熱用電極
【図１】
0003143021.tif 000003
【図２】
0003143021.tif 000004
【図３】
0003143021.tif 000005
【図４】
0003143021.tif 000006